(57)【特許請求の範囲】
【請求項１】
空気吸込口と空気吹出口との間の空気通路中に、フィルター、送風機、イオン電極を設けてなる空気清浄機において、上記イオン電極には、非導電性ケース内にあって、相互に対向する一対の電極板と、これら一対の電極板の間に介設された多孔質の土又は石材からなり、上記一対の電極板の一方に所定の高負電圧を印加することにより上記多孔質の土又は石材部分で放電を生じさせ、他方側非電源側電極から同放電により生じる負電圧を出力するように構成されたイオン変換器の他方側非電源側電極が接続されていることを特徴とする空気清浄機。
【請求項２】
多孔質の石材が、天然の軽石であることを特徴とする請求項１記載の空気清浄機。
【発明の詳細な説明】
【０００１】
【発明の属する技術分野】
【０００２】
本願発明は、マイナスイオン発生機能を有した空気清浄機に関するものである。
【従来の技術】
【０００３】
従来の空気清浄機は、例えば空気吸込口から空気吹出口に到る空気通路中に各種のフィルターや静電集塵器を設けるとともに、それらを通して通風するための送風機を設けて構成されている。
【発明が解決しようとする課題】
【０００４】
しかし、上記従来の空気清浄機に用いられている各種のフィルターや静電集塵器による集塵機能では、ホコリやダニ、浮遊粉塵等を除去することはできても、大気中のプラスイオンやプラスに帯電した汚染大気微粒子等を除去することができない。
【０００５】
また、大気中に発生するスーパーオキサイドラジカル（・Ｏ2）やヒドロキシルラジカル（・ＯＨ）などの有害な活性酸素（フリーラジカル）を消去することもできない。
【０００６】
さらに、人体やテレビ、パソコン、エアコンなどの電器製品や自動車の車体などに帯電したプラス静電気を除去することもできない。
【０００７】
大気中には、電気的に中性の気体分子又は原子が存在し、これらが太陽からの紫外線や宇宙線、地殻放射線などの物理的エネルギーによって電離される。平均３４ｅＶ（エレクトロンボルト）の電離エネルギーによって、気体分子又は原子からマイナス電荷をもつ１個の電子と、プラスの電荷をもつプラスの核イオンが生成する。そして、飛散した電子は、大気中のほかの気体分子と衝突してマイナスの核イオンとなる。プラスとマイナスの核イオンは、それぞれ衝突による化学反応を繰り返してプラスの小イオンとマイナスの小イオンに成長する。この小イオンを一般に大気イオンと称する。
【０００８】
自然大気中の小イオンは、プラスイオンもマイナスイオンもほぼ同数ずつ存在し、およそ２０００個／ｃｍ3前後である。
【０００９】
しかし、近年大気の性質が大きく変化し、大気プラスイオンの増加と大気マイナスイオンの減少といったアンバランスが生じている。
【００１０】
その理由は、人間活動の各種の物質の燃焼が行われプラスの電荷をもつ汚染大気微粒子（エアロゾル粒子）が増え、大気中に浮遊蓄積するためである。すなわち、自動車に乗ることでガソリンや軽油を燃焼し、暖房や炊事のために灯油やガスが燃焼している。あるいは、パソコンを操作するには電気が消費されるが、電気は重油を燃焼しての火力発電によって得られている。こうした物質の燃焼によって発生したプラスの電荷をもつ汚染大気微粒子（エアロゾル粒子）は、太陽によって地表面が暖まり、空気の対流運動がおこることによって上空５００ｍ〜１０００ｍ付近まで拡散し、風（日本では偏西風）に乗って地球全土まで広がっていくため、プラスイオン優位の大気となる。
【００１１】
また、地上２０ｋｍ付近の成層圏で地球を覆っているオゾン層がフロンガスの大量使用によって破壊され、北極や南極を中心にオゾンホールが生じている。
【００１２】
オゾン層は、太陽からの有害紫外線であるＵＶＣ（２８０ｎｍ以下）やＵＶＢ（２８０〜３２０ｎｍ）を吸収し、地表面への到達を遮断している。オゾンホールが生じると、地表における有害紫外線強度が極めて大きくなる。紫外線が地表の酸素分子と衝突すると酸素は不安定な励起状酸素となり、この励起状酸素が水分子（Ｈ2Ｏ）と科学反応して有害な活性酸素種：ヒドロキシルラジカル（・ＯＨ）を生成する。ヒドロキシルラジカルも不安定な物質であり、大気中のマイナスイオンから電子を奪取し安定な水分子に変化する。この際に電子が奪われたマイナスイオンは消滅し、中性の気体成分に変化するため、大気中のマイナスイオンが減少傾向となる。
【００１３】
さらに、工場や自動車からの排気ガス（ＮＯ2，ＳＯ2）とヒドロキシルラジカルが反応することで硫酸（Ｈ2ＳＯ4）や硝酸（ＨＮＯ3）が生成し酸性の雨滴（酸性雨）を形成する。この時、大気マイナスイオンは酸性化物質の中和反応に消費されて減少し、一方酸性化物質から水素イオンが遊離して、大気中のプラスイオンの生成に加わるため大気プラスイオンが増加する。
【００１４】
また静電気減少は２種類の異なった物質の摩擦によって発生する。自動車の座席に座っていると、走行中の振動や体動によって人間の衣服とシートの間摩擦がおこり相互に帯電が生じる。あるいは、ジュータンやカーペットの上を歩く時、はきものや靴下との間で摩擦がおこり帯電する。さらに、テレビやパソコン、エアコン等の電気製品にも静電気現象が認められる。
【００１５】
一般に物質を構成している原子は、原子核（陽子と中性子）とその周囲を回っている電子とで成り立っているが、安定状態では電子の数と陽子の数とが同じであるため、電気的に中性である。
【００１６】
しかし、２種類の異なった物質の間に摩擦が生じると、その摩擦のエネルギーによって片方の物質を構成している原子から電子がはずれ、もう片方の物質に移動する。その結果、電子を失った物質はプラスの静電気を帯び、電子を取り込んだ物質はマイナスの静電気を帯びることになる。
【００１７】
従来の空気清浄機では、このようにプラスイオンとプラスに帯電した汚染大気微粒子、大気中に発生した活性酸素（フリーラジカル）、及び人体に帯電した静電気を除去することは極めて困難である。
【００１８】
本願発明は、以上のような問題を解決するためになされたもので、フィルター、イオン電極に加えてイオン変換器を設けることにより、上述のような問題を解決した空気清浄機を提供することを目的とするものである。
【課題を解決するための手段】
【００１９】
本願発明は、上記の目的を達成するために、次のような課題解決手段を備えて構成されている。
【００２０】
（１）  請求項１の発明
すなわち、先ず本願請求項１の発明の空気清浄機は、空気吸込口と空気吹出口との間の空気通路中に、フィルター、送風機、イオン電極を設けてなる空気清浄機において、上記イオン電極には、非導電性ケース内にあって、相互に対向する一対の電極板と、これら一対の電極板の間に介設された多孔質の土又は石材からなり、上記一対の電極板の一方に所定の高負電圧を印加することにより上記多孔質の土又は石材部分で放電を生じさせ、他方側非電源側電極から同放電により生じる負電圧を出力するように構成されたイオン変換器の他方側非電源側電極が接続されて構成されている。
【００２１】
したがって、該構成では、先ず従来同様のフィルターによって空気中のホコリやダニ、浮遊粉塵等が除去される。
【００２２】
さらに、それに加えて上記イオン変換器内の放電によって空気中のプラスイオンがマイナスイオンに変換され、それによる負電圧がイオン電極に印加されて生成されるマイナスイオンが空気吹出口から吹き出されるようになる。
【００２３】
そして、この放出されたマイナスイオンは大気中のプラスイオンやプラスに帯電した汚染大気微粒子と衝突して結合することにより、互いに電気的に中和して中性の気体分子となる。その結果大気プラスイオンが消滅する。
【００２４】
なお、自然大気マイナスイオンの組成は、酸素核イオン（Ｏ2）、炭酸核イオン（ＣＯ3）、硝酸核イオン（ＮＯ3）などで、これらにいくつかの水分子が結合してクラスターイオン（Ｈ3Ｏ+）やアンモニウムイオン（ＮＨ3+）などいくつかの水分子が結合してクラスターイオンとなって存在する。
【００２５】
また、大気中に発生した活性酸素（フリーラジカル）は、その分子内に不対電子をもっていて極めて不安定な構造となっている。同空気清浄機から発生したマイナスイオンは空気中で活性酸素と化学的に反応し、すなわちマイナスイオンがもつ電子を活性酸素に供与することで、活性酸素は安定で無害な水分子などに変化し、活性酸素が消去されることになる。この作用はマイナスイオンがもつ還元力によるものである。
【００２６】
さらに人体に帯電しているプラスの静電気に対しては、マイナスイオンがもつマイナス電荷との間でクーロン力が作用し静電気が抹消される。静電気現象では、物体に帯電した静電気はやがて自然放電により帯電を失うが、この時大地へ向けて放電するかたわら、大気中のイオン（小イオン、中イオン、大イオン）との間で電気的に引き合い静電気が抹消される。すなわち、物体に帯電したプラスの静電気は、大気マイナスイオンとの間で吸引し合うクーロン力によって結合し、プラスの帯電が抹消される。
【００２７】
そして、上記構成におけるイオン変換器は、非導電性のケース内の両端に設けられた相互に対向する一対の電極板と、これら一対の電極板の間に介設された多孔質の土又は石材からなり、上記一対の電極板の一方に所定の高負電圧を印加する一方、他方側の非電源側電極を上述のイオン電極に接続して同イオン電極に荷電作用を生ぜしめ、上記空気通路を流れる清浄化後の空気にマイナスイオンを発生させるように構成されている。
【００２８】
このように、上記イオン変換器の一方の電極板に静電気の高負電圧、例えばマイナス（−）３０００Ｖが印加されると、多孔質の土又は石材を介して相互に対向する一対の電極板間で放電が生じ、そこで発生するマイナス電荷をもつ電子が土又は軽石等の多孔質の天然地層材に衝突する際、自然大気中のマイナスイオンに変化し、これが他方の対向する非電源側の電極板にマイナス（−）２０００Ｖからマイナス（−）２４００Ｖの負の出力を有する電子として集められ、それによる（−）２０００Ｖから（−）２４００Ｖの出力電圧が上記空気吸込口と空気吹出口との間の空気通路中に設けられたイオン電極に印加され、同イオン電極の荷電作用により、同イオン電極を介して空気通路を流れる清浄化された空気中にマイナスイオンが生成される。
【００２９】
（２）  請求項２の発明
次に本願請求項２の発明の空気清浄機は、上記請求項１の発明の構成において、多孔質の石材が、天然の軽石であることを特徴としている。
【００３０】
このように多孔質の石材が、天然の軽石の場合、上述したイオン電極部分で、特に効果的にマイナスイオンを生成させることができるイオン電極荷電用の負の出力電圧を生じさせることができる。
【発明の効果】
【００３１】
以上の結果、本願発明の空気清浄機によると、上述した従来の問題を確実に解決することができる。
【発明の実施の形態】
【００３２】
（実施の形態１）
図１〜図９は、室内用として構成した本願発明の実施の形態１に係る空気清浄機各部の構成と同空気清浄機の実験による作用効果例を示している。
【００３３】
先ず図１〜図３は、同空気清浄機本体の機械的な構造を示している。これらの図中、符号１は当該空気清浄機の本体部を形成する例えば木製箱型のキャビネットである。そして、このキャビネット１の前面にはグリル構造の空気吸込口２と同じくグリル構造の空気吹出口３とが、サーキュレーション作用を生じないように左側と右側上部に相互に距離を置いて設けられている。また、同前面部の上記空気吸込口２と空気吹出口３との間には化粧パネル４が設けられている。そして、同化粧パネル４の上記空気吹出口３の下方部分には、表示パネル５と電源スイッチ６とが上下に位置して設けられている。表示パネル５には、例えば微風、弱風、中風、強風、急風５段階の風量レベルを表示する第１〜第５の風量表示部７ａ〜７ｅ、電源スイッチのＯＮ，ＯＦＦ状態を示す電源表示部（ＬＥＤ）８、リモートコントローラ用赤外光受光部９が、それぞれ設けられている。
【００３４】
また、上記キャビネット１の右側壁部１０の背面側下部には、電源コード接続口１１と電源ヒューズホルダー１２が、それぞれ設けられている。
【００３５】
電源コード接続口１１には、例えば図４に示すような電源ジャック１３ａ、電源プラグ１３ｂを備えた電源コード１３が接続されるようになっている一方、上記リモートコントローラ用赤外光受光部９には、例えば図５に示すような赤外光発光部（送信部）１４ａ、ディスプレイ部１４ｂ、電源スイッチ１４ｃ、コントロール操作スイッチ１４ｄ等を備えたリモートコントローラ１４の上記赤外光発光部１４ａからの赤外光信号が受光入力されるようになっている。
【００３６】
一方、上記キャビネット１内には、上記空気吸込口２から空気吹出口３に到る空気通路（送風通路）１５が設けられており、この空気通路１５の空気流上流側から空気流下流側にかけて、第１の除塵作用を果たす目の荒い第１フィルター２１、第２の除塵作用を果たす目の細かい第２フィルター２２、抗菌作用を果たす抗菌加工を施した活性炭フィルター２３、煙草の煙や花粉等の粒子状の浮遊物質を取り除くミクロ集塵フィルター２４、放電により空気中の微粒子を吸着集塵するイオン対向電極フィルター（静電集塵器）２５、水分や悪臭を吸着するとともにアルカリ性のマイナスイオンを発生する第１，第２の木炭ケース２６ａ，２６ｂ、多翼送風機２７、イオン電極板３９が以上の順に配設されている。
【００３７】
上記イオン電極板３９は、上記多翼送風機２７のクロスフィンとキャビネット１の空気吹出口３との間に位置して、帯電性マット３９ａに包んで設けられている。
【００３８】
そして、上記リモートコントローラ１４側の電源スイッチ１４ｃ又はキャビネット１本体側の電源スイッチ６が入れられて、上記空気通路１５最下流側の多翼送風機２７を駆動すると、上記空気吸込口２から吸い込まれた空気が、上記第１フィルター２１、第２フィルター２２、活性炭フィルター２３、ミクロ集塵フィルター２４、イオン対向電極フィルター２５、第１の木炭ケース２６ａ、第２の木炭ケース２６ｂ、多翼送風機２７、イオン電極板３９を経て、順次集塵、マイナスイオン化された清浄な空気が上記空気吹出口３から室内に向けて吹き出される。そして、それによって、大気中のプラスイオンを中和・低減するとともに帯電したプラスの静電気の中和と抹消作用を促進させる。
【００３９】
次に、図６〜図８は上記空気清浄機本体の電気的な構成を示している。
【００４０】
先ず同空気清浄機本体の全体的な回路構成を示す図６において、符号３０は制御基板である。この制御基板３０には、上記電源コード接続口１１の給電端子３１、変圧器３２、キャビネット本体側電源スイッチ入力端子３３、赤外光受光部６、多翼送風機２７のファンモータ２７ａの駆動信号出力端子３４、高電圧発生器３６へのＤＣ電圧出力端子３５等が付設されている。
【００４１】
そして、上記電源スイッチ入力端子３３には上記キャビネット本体側電源スイッチ６が、また上記ファンモータ２７ａの駆動信号出力端子３４には上記多翼送風機２７のファンモータ２７ａが、さらに上記高電圧発生器出力端子３５には高電圧発生器３６が、それぞれ接続されている。
【００４２】
上記高電圧発生器３６は、例えば図７に示すように、上記ＤＣ電圧出力端子から出力される直流電圧ＤＣ１２Ｖを全波倍電圧方式により−１０００（Ｖ）に昇圧し、第２の出力端子３６ｂを介して上述のイオン対向電極フィルター２５に出力するとともに、同直流電圧ＤＣ１２Ｖを同じく全波倍電圧方式により−３０００Ｖに昇圧し、第１の出力端子３６ａを介してイオン変換器３８に供給して放電によるマイナスイオンを生ぜしめ、同マイナスイオン変換器３８を通してマイナスイオンによる負電圧に変化させた上で上記イオン電極板３９に印加する。上記イオン電極板３９は、上記のように帯電性マット３９ａに包んで空気吹出口３の内側に設けられている。
【００４３】
イオン変換器３８は、例えば図８に示されるように、蓋体４１を備えたアクリル製等の非導電性ケース４０内の両端に相互に対向する一対のステンレス製の電極板４２ａ，４２ｂを設けるとともに、それらの間に例えば天然軽石等の多孔質の石材４５，４５・・・を充填して構成されている。
【００４４】
上記第１の電極板４２ａは、マイナス電源ライン４３を介して上記高電圧発生器３６の第１の出力端子−ＤＣ１０００（Ｖ）３６ａに接続されている一方、第２の電極板４２ｂは、マイナス電源ライン４４を介してイオン電極板３９に接続されている。
【００４５】
そして、上記第１，第２の電極板４２ａ，４２ｂ間に上記高電圧発生器３６の第１の出力端子３６ａから−ＤＣ１０００（Ｖ）を印加すると、それらの間で放電が生じ、そこで発生する空気中のマイナス電荷をもつ電子が土又は軽石等の多孔質の天然地層材に衝突する際、自然大気中のマイナスイオンに変化し、これが他方の対向する非電源側電極板にマイナス（−）２０００Ｖからマイナス（−）２４００Ｖの出力を有する電子として集められ、同（−）２０００Ｖ〜（−）２４００Ｖの負電圧出力が上記の帯電性マット３９ａに包まれたイオン電極板３９に印加され、同イオン電極板３９の荷電作用で空気吹出口３に供給される清浄化後の空気中に自然大気のマイナスイオンを生成する。
【００４６】
ところで、上記制御基板３０上には電源電圧波形モニター回路５１、定電圧電源回路５２、ファンモータ駆動回路５３、接点異常モニター回路５４、リレー回路５５、リモートコントローラ用受光回路５６、ブザー５７、電源表示部（ＬＥＤ）、マイクロコンピュータよりなる制御ユニット５９が、それぞれ設けられている。
【００４７】
そして、先ず上記変圧器３２を介して所定のＡＣ電圧に降圧されたＡＣ電源１００（Ｖ）６０からのファンモータ駆動制御電圧は、上記ファンモータ駆動回路５３を介して上記多翼送風機２７のファンモータ２７ａに供給されてファンモータ２７ａが設定風量に応じた所定の目標回転数で駆動される。
【００４８】
また、上記変圧器３２で所定の電圧に降圧された上記ＡＣ電源６０からのＡＣ電圧は、定電圧電源回路５２に供給され、先ずダイオードブリッジ等でＤＣ電圧に整流され、さらに抵抗ドロップ回路等で所定のＤＣ電圧値に降圧された後、ツェナーダイオード等を備えた定電圧設定手段によって所定の定電圧に設定される。そして、該定電圧が抵抗分圧されて上記制御ユニット５９の動作電源又はリレー回路５５のリレー駆動電圧、上記高電圧発生器３６のＤＣ入力（１２Ｖ）等として供給される。
【００４９】
制御ユニット５９は、上記本体側電源スイッチ６のＯＮ信号、又は上記リモートコントローラ用受光回路５６を介して入力されるリモートコントローラ１４の電源スイッチ１４ｃのＯＮ信号によって作動し、上記ファンモータ駆動制御回路５３を駆動制御するとともに上記リレー回路５５のリレーを駆動して上記電源表示部８を点灯又は消灯制御するとともに上記高電圧発生器３６を作動させ、また必要に応じてブザー５７を駆動する。
【００５０】
以上のように、本実施の形態の空気清浄機では、空気吸込口２と空気吹出口３との間の空気通路１５中に、フィルター類２１〜２５、木炭ケース２６ａ，２６ｂ、送風機２７、イオン電極３９を備えてなる空気清浄機において、上記空気通路１５中のイオン電極３９には、非導電性のケース４０内の両端に設けられた相互に対向する一対の電極板４２ａ，４２ｂと、これら一対の電極板４２ａ，４２ｂの間に介設された多孔質の石材４５，４５・・・からなり、上記一対の電極板４２ａ，４２ｂの一方４２ａに所定の高負電圧を印加する一方、他方側の非電源側電極を上述のイオン電極３９に接続して同イオン電極３９に荷電作用を生ぜしめることにより、上記空気通路を流れる清浄化後の空気を（−）に荷電するイオン変換器３８を設けて構成されている。
【００５１】
したがって、該構成では、先ず従来同様の各種フィルター類２１〜２５と木炭ケース２６ａ，２６ｂによって空気中のホコリやダニ、浮遊粉塵、悪臭や水分等が除去される。
【００５２】
さらに、それに加えて、そのようにして清浄化された空気中のプラスイオンが、上記イオン変換器３８を備えたイオン電極板３９の荷電作用によってマイナスイオンに変換されて、空気吹出口３から吹き出されるようになる。
【００５３】
そして、この放出されたマイナスイオンは大気中のプラスイオンやプラスに帯電した汚染大気微粒子と衝突して結合することにより、互いに電気的に中和して中性の気体分子となる。その結果大気プラスイオンが消滅する。
【００５４】
なお、自然大気マイナスイオンの組成は、酸素核イオン（Ｏ2）、炭酸核イオン（ＣＯ3）、硝酸核イオン（ＮＯ3）などで、これらにいくつかの水分子が結合してクラスターイオン（Ｈ3Ｏ+）やアンモニウムイオン（ＮＨ3+）などいくつかの水分子が結合してクラスターイオンとなって存在する。
【００５５】
また、大気中に発生した活性酸素（フリーラジカル）は、その分子内に不対電子をもっていて極めて不安定な構造となっている。同空気清浄機から発生したマイナスイオンは空気中で活性酸素と化学的に反応し、すなわちマイナスイオンがもつ電子を活性酸素に供与することで、活性酸素は安定で無害な水分子などに変化し、活性酸素が消去されることになる。この作用はマイナスイオンがもつ還元力によるものである。
【００５６】
さらに人体に帯電しているプラスの静電気に対しては、マイナスイオンがもつマイナス電荷との間でクーロン力が作用し静電気が抹消される。静電気現象では、物体に帯電した静電気はやがて自然放電により帯電を失うが、この時大地へ向けて放電するかたわら、大気中のイオン（小イオン、中イオン、大イオン）との間で電気的に引き合い静電気が抹消される。すなわち、物体に帯電したプラスの静電気は、大気マイナスイオンとの間で吸引し合うクーロン力によって結合し、プラスの帯電が抹消される。
【００５７】
（実験例１）
次に、上記実施の形態１に係る空気清浄機の室内大気中のプラスイオンの低減効果を第１の実験によって実際に確認した。
【００５８】
（実験方法）
この実験では、室内（１２畳）における空気中のプラスイオンの低減効果を、マイナスイオン変換器３８非装着のものとマイナスイオン変換器３８装着のものとで比較実験をした。
【００５９】
実験方法として、室内をほぼ密着状態にして、各空気清浄機をイオンカウンターから１．５ｍの位置に設置し、それぞれの稼働前後の室内大気中のプラスイオン量を経時的に測定した。
【００６０】
先ず、空気清浄機にマイナスイオン変換器３８を接続せず、マイナスイオン電極板３９に直接つないだ状態での空気清浄機稼働前後のプラスイオン量を計２０回測定した（ａ）。
【００６１】
また同様にして、空気清浄機にマイナスイオン変換器３８を介して接続した状態での空気清浄機稼働前後のプラスイオン量を計２０回測定した（ｂ）。
【００６２】
上記の測定結果を各々ペンレコーダで記録表示した平均値（ａ），（ｂ）を図９のグラフに示す。
【００６３】
この測定結果から明らかなように、自然状態を基準値０とした場合、本実施の形態のマイナスイオン変換器３８を接続した場合（ｂ）では、室内空気中のプラスイオン量が２０秒後には平均１３００個／ｃｍ3の大幅な減少を示し、ほぼ横倍の状態で低減状態を維持した。
【００６４】
これと比較して、マイナスイオン変換器３８を接続せず、直接マイナスイオン電極板３９に直接つないだもの（ａ）では、平均１００個／ｃｍ3程度しかプラスイオン量が減少しておらず、ほぼ変化がないことが分る。
【００６５】
さらに、本実施の形態の空気清浄機を稼働させた場合、マイナスイオン量が平均値１０００個／ｃｍ3の増加となるのに対して、マイナスイオン変換器３８を装着しないものでは、有意義な増加は認められなかった。
【００６６】
以上の測定結果から明らかなように、やはり本実施の形態のようにマイナスイオン変換器３８を備えた空気清浄機によると、室内大気中のプラスイオンの中和・低減効果が高いことが実証される。
【００６７】
（他の実施の形態）
本願発明の空気清浄機は、以上のような室内用のものに限らず、例えば車両用、携帯用等各種のものに構成することができる。
【図面の簡単な説明】
【００６８】
【図１】  本願発明の実施の形態１に係る空気清浄機本体部の構造を示す斜視図である。
【図２】  同空気清浄機の本体内部の構造を示す水平断面図である。
【図３】  同空気清浄機のフィルター構成を分かり易く空気流方向に縦列させて示す斜視図である。
【図４】  同空気清浄機の電源供給手段を示す斜視図である。
【図５】  同空気清浄機の操作手段を示す正面図である。
【図６】  同空気清浄機の電気的な回路の構成を示すブロック図である。
【図７】  同空気清浄機の高圧発生回路の構成を示すブロック図である。
【図８】  同空気清浄機のマイナスイオン変換器の構成を示す断面図である。
【図９】  実験例１の室内空気中のプラスイオン低減効果を示すグラフである。
【符号の説明】
【００６９】
１はキャビネット、２は空気吸込口、３は空気吹出口、３８はマイナスイオン変換器である。
【図１】
0003693490.tif 000002
【図２】
0003693490.tif 000003
【図３】
0003693490.tif 000004
【図４】
0003693490.tif 000005
【図５】
0003693490.tif 000006
【図６】
0003693490.tif 000007
【図７】
0003693490.tif 000008
【図８】
0003693490.tif 000009
【図９】
0003693490.tif 000010